(57)【要約】【課題】表示パネル及び補強部材の間の接着過程で発生する不良を減少させることができる表示装置を提供する。【解決手段】表示装置はウィンドウ部材、前記ウィンドウ部材下部に配置された表示パネル、前記表示パネルに重畳し、前記ウィンドウ部材及び前記表示パネルの間に配置された第１接着部材、前記表示パネルの下部に配置された補強部材を含み、前記ウィンドウ部材の平面視において、前記ウィンドウ部材の最外側から前記表示パネルの最外側までの第１最短距離及び前記ウィンドウ部材の前記最外側から前記第１接着部材の最外側までの第２最短距離は互いに同一であることを特徴とする。【選択図】図３
2019211759.tif 000002
【特許請求の範囲】
【請求項１】
ウィンドウ部材と、
前記ウィンドウ部材の下部に配置された表示パネルと、
前記表示パネルに重畳し、前記ウィンドウ部材及び前記表示パネルの間に配置された第１接着部材と、
前記表示パネルの下部に配置された補強部材と、を含み、
前記ウィンドウ部材の平面視において、前記ウィンドウ部材の最外側から前記表示パネルの最外側までの第１最短距離及び前記ウィンドウ部材の前記最外側から前記第１接着部材の最外側までの第２最短距離は、互いに同一であることを特徴とする表示装置。
【請求項２】
前記ウィンドウ部材の平面視において、前記第１最短距離は、前記ウィンドウ部材の前記最外側から前記補強部材の最外側までの最短距離より短いことを特徴とする請求項１に記載の表示装置。
【請求項３】
前記表示パネルは、
前記補強部材の上部に配置され、前記第１接着部材に全体的に重畳する第１非ベンディング領域と、
前記補強部材の下部に配置された第２非ベンディング領域と、
前記第１非ベンディング領域及び前記第２非ベンディング領域を連結するベンディング領域と、を含む請求項１に記載の表示装置。
【請求項４】
前記ウィンドウ部材の平面視において、前記第１最短距離は、前記ウィンドウ部材の前記最外側から前記第１非ベンディング領域の最外側までの長さであることを特徴とする請求項３に記載の表示装置。
【請求項５】
前記第１接着部材は、前記第１非ベンディング領域と全体的に重畳し、前記第２非ベンディング領域と一部分重畳する請求項３に記載の表示装置。
【請求項６】
前記第１非ベンディング領域には複数の表示素子が配置されることを特徴とする請求項３に記載の表示装置。
【請求項７】
前記表示パネル及び前記補強部材の間に配置された保護部材をさらに含み、
前記保護部材は、前記第１非ベンディング領域上に配置された第１保護部材及び前記第２非ベンディング領域上に配置された第２保護部材を含み、
前記補強部材は、前記第１保護部材に全体的に重畳する請求項３に記載の表示装置。
【請求項８】
前記ウィンドウ部材及び前記表示パネルの間に配置された入力感知ユニットと、
前記ウィンドウ部材及び前記入力感知ユニットの間に配置された第２接着部材と、をさらに含み、
前記第１接着部材は、前記入力感知ユニット及び前記表示パネルの間に配置される請求項１に記載の表示装置。
【請求項９】
前記ウィンドウ部材の平面視において、前記ウィンドウ部材の前記最外側から前記補強部材の最外側までの最短距離は、前記第１最短距離以上であることを特徴とする請求項１に記載の表示装置。
【請求項１０】
前記補強部材は、金属物質を含むことを特徴とする請求項１に記載の表示装置。
【請求項１１】
ウィンドウ部材と、
前記ウィンドウ部材の下部に配置された表示パネルと、
前記ウィンドウ部材及び前記表示パネルの間に配置された第１接着部材と、
前記表示パネルの下部に配置された補強部材と、を含み、
前記ウィンドウ部材の平面視において、前記ウィンドウ部材の最外側から前記表示パネルの最外側までの第１最短距離は前記ウィンドウ部材の前記最外側から前記補強部材の最外側までの第２最短距離以上であることを特徴とする表示装置。
【請求項１２】
前記ウィンドウ部材の平面視において、前記第１最短距離は、前記ウィンドウ部材の前記最外側から前記第１接着部材の最外側までの最短距離より短いことを特徴とする請求項１１に記載の表示装置。
【請求項１３】
前記表示パネルは、
前記補強部材の上部に配置され、前記補強部材に全体的に重畳する第１非ベンディング領域と、
前記補強部材の下部に配置され、前記補強部材に一部分重畳する第２非ベンディング領域と、
前記第１非ベンディング領域及び前記第２非ベンディング領域を連結するベンディング領域と、を含む請求項１２に記載の表示装置。
【請求項１４】
前記ウィンドウ部材の平面視において、前記補強部材の面積は、前記第１非ベンディング領域の面積より大きいことを特徴とする請求項１３に記載の表示装置。
【請求項１５】
前記第１非ベンディング領域及び前記補強部材の間に配置された第１保護部材と、
前記第２非ベンディング領域上に配置された第２保護部材と、をさらに含む請求項１３に記載の表示装置。
【請求項１６】
ウィンドウ部材と、
前記ウィンドウ部材の下部に配置された表示パネルと、
前記ウィンドウ部材及び前記表示パネルの間に配置された接着部材と、
前記表示パネルの下部に配置された上面、下面、及び前記上面と前記下面を連結する側面を含む保護部材と、
前記保護部材の前記下面に配置された補強部材と、を含み、
前記保護部材は、前記下面から前記上面に向かって陥没されたエッジ領域及び前記エッジ領域によって囲まれたメイン領域を含み、
前記補強部材の最外側は、前記エッジ領域に重畳する表示装置。
【請求項１７】
前記ウィンドウ部材の厚さ方向において、前記エッジ領域の厚さは、前記メイン領域の厚さより薄いことを特徴とする請求項１６に記載の表示装置。
【請求項１８】
前記表示パネルは、
前記保護部材の前記上面に配置された第１非ベンディング領域と、
前記補強部材の下部に配置された第２非ベンディング領域と、
前記第１非ベンディング領域及び前記第２非ベンディング領域を連結するベンディング領域と、を含む請求項１６に記載の表示装置。
【請求項１９】
前記保護部材は、前記第１非ベンディング領域に配置された第１保護部材及び前記第２非ベンディング領域に配置された第２保護部材を含み、
前記第２保護部材の厚さは、前記第１保護部材の前記メイン領域の厚さと同一であることを特徴とする請求項１８に記載の表示装置。
【請求項２０】
前記ウィンドウ部材の平面視において、前記ウィンドウ部材の最外側から前記保護部材の最外側までの最短距離は、前記ウィンドウ部材の前記最外側から前記補強部材の前記最外側までの最短距離より短いことを特徴とする請求項１６に記載の表示装置。
【発明の詳細な説明】
【技術分野】
【０００１】
本発明は表示装置に関し、より詳細には表示パネルを支持する補強部材を含んだ表示装置に関する。
【背景技術】
【０００２】
テレビジョン、携帯電話、タブレットコンピュータ、ナビゲーション、ゲーム機等のようなマルチメディア装置に使用される多様な表示装置が開発されている。
【０００３】
表示装置は映像を表示し、外部の入力を感知する表示モジュール及び表示モジュールの下部に配置された補強部材を含む。最近、表示装置は多様な形状及び面積を有するアクティブ領域を通じて映像を表示し、外部の入力感知の可否を検出する。
【０００４】
補強部材は接着部材を通じて表示モジュールの下部に固定される。補強部材上に配置された接着部材を表示モジュールの下部に付着するために、外部の力が補強部材に加えられることがある。
【先行技術文献】
【特許文献】
【０００５】
【特許文献１】米国特許第１０，０８３，６３６号明細書
【特許文献２】米国特許出願公開第２０１７／００９９７４１号明細書
【発明の概要】
【発明が解決しようとする課題】
【０００６】
本発明の目的は表示パネル及び補強部材の間の接着過程で発生する不良を減少させることができる表示装置を提供することにある。
【課題を解決するための手段】
【０００７】
本発明の目的を達成するための一実施形態に係る表示装置は、ウィンドウ部材、前記ウィンドウ部材下部に配置された表示パネル、前記表示パネルに重畳し、前記ウィンドウ部材及び前記表示パネルの間に配置された第１接着部材、前記表示パネルの下部に配置された補強部材を含み、前記ウィンドウ部材の平面視において、前記ウィンドウ部材の最外側から前記表示パネルの最外側までの第１最短距離及び前記ウィンドウ部材の前記最外側から前記第１接着部材の最外側までの第２最短距離は互いに同一であることを特徴とする。
【０００８】
本発明の実施形態によれば、前記ウィンドウ部材の平面視において、前記第１最短距離は前記ウィンドウ部材の前記最外側から前記補強部材の最外側までの最短距離より短いことを特徴とする。
【０００９】
本発明の実施形態によれば、前記表示パネルは前記補強部材の上部に配置され、前記第１接着部材に全体的に重畳する第１非ベンディング領域、前記補強部材の下部に配置された第２非ベンディング領域、前記第１非ベンディング領域及び前記第２非ベンディング領域を連結するベンディング領域を含む。
【００１０】
本発明の実施形態によれば、前記ウィンドウ部材の平面視において、前記第１最短距離は前記ウィンドウ部材の前記最外側から前記第１非ベンディング領域の最外側までの長さであることを特徴とする。
【００１１】
本発明の実施形態によれば、前記第１接着部材は前記第１非ベンディング領域と全体的に重畳し、前記第２非ベンディング領域と一部分重畳する。
【００１２】
本発明の実施形態によれば、前記第１非ベンディング領域には複数の表示素子が配置されることを特徴とする。
【００１３】
本発明の実施形態によれば、前記表示パネル及び前記補強部材の間に配置された保護部材をさらに含み、前記保護部材は前記第１非ベンディング領域上に配置された第１保護部材及び前記第２非ベンディング領域上に配置された第２保護部材を含み、前記補強部材は前記第１保護部材に全体的に重畳する。
【００１４】
本発明の実施形態によれば、前記ウィンドウ部材及び前記表示パネルの間に配置された入力感知ユニット、前記ウィンドウ部材及び前記入力感知ユニットの間に配置された第２接着部材をさらに含み、前記第１接着部材は前記入力感知ユニット及び前記表示パネルの間に配置される。
【００１５】
本発明の実施形態によれば、前記ウィンドウ部材の平面視において、前記ウィンドウ部材の前記最外側から前記補強部材の最外側までの最短距離は前記第１最短距離以上であることを特徴とする。
【００１６】
本発明の実施形態によれば、前記補強部材は金属物質を含むことを特徴とする。
【００１７】
本発明の目的を達成するための他の実施形態に係る表示装置は、ウィンドウ部材、前記ウィンドウ部材下部に配置された表示パネル、前記ウィンドウ部材及び前記表示パネルの間に配置された第１接着部材、前記表示パネルの下部に配置された補強部材を含み、前記ウィンドウ部材の平面視において、前記ウィンドウ部材の最外側から前記表示パネルの最外側までの第１最短距離は前記ウィンドウ部材の前記最外側から前記補強部材の最外側までの第２最短距離以上であることを特徴とする。
【００１８】
本発明の実施形態によれば、前記ウィンドウ部材の平面視において、前記第１最短距離は前記ウィンドウ部材の前記最外側から前記第１接着部材の最外側までの最短距離より短いことを特徴とする。
【００１９】
本発明の実施形態によれば、前記表示パネルは前記補強部材の上部に配置され、前記補強部材に全体的に重畳する第１非ベンディング領域、前記補強部材の下部に配置され、前記補強部材に一部分重畳する第２非ベンディング領域、前記第１非ベンディング領域及び前記第２非ベンディング領域を連結するベンディング領域を含む。
【００２０】
本発明の実施形態によれば、前記ウィンドウ部材の平面視において、前記補強部材の面積は前記第１非ベンディング領域の面積より大きいことを特徴とする。
【００２１】
本発明の実施形態によれば、前記第１非ベンディング領域及び前記補強部材の間に配置された第１保護部材、前記第２非ベンディング領域上に配置された第２保護部材をさらに含む。
【００２２】
本発明の目的を達成するための他の実施形態に係る表示装置は、ウィンドウ部材、前記ウィンドウ部材下部に配置された表示パネル、前記ウィンドウ部材及び前記表示パネルの間に配置された接着部材、前記表示パネルの下部に配置された上面、下面、及び前記上面と前記下面を連結する側面を含む保護部材、前記保護部材の前記下面に配置された補強部材を含み、前記保護部材は前記下面から前記上面に向かって陥没されたエッジ領域及び前記エッジ領域によって囲まれたメイン領域を含み、前記補強部材の最外側は前記エッジ領域に重畳する。
【００２３】
本発明の実施形態によれば、前記ウィンドウ部材の厚さ方向において、前記エッジ領域の厚さは前記メイン領域の厚さより薄いことを特徴とする。
【００２４】
本発明の実施形態によれば、前記表示パネルは、前記保護部材の前記上面に配置された第１非ベンディング領域、前記補強部材の下部に配置された第２非ベンディング領域、前記第１非ベンディング領域及び前記第２非ベンディング領域を連結するベンディング領域を含む。
【００２５】
本発明の実施形態によれば、前記保護部材は前記第１非ベンディング領域に配置された第１保護部材及び前記第２非ベンディング領域に配置された第２保護部材を含み、前記第２保護部材の厚さは前記第１保護部材の前記メイン領域の厚さと同一であることを特徴とする。
【００２６】
本発明の実施形態によれば、前記ウィンドウ部材の平面視において、前記ウィンドウ部材の最外側から前記保護部材の最外側までの最短距離は前記ウィンドウ部材の前記最外側から前記補強部材の前記最外側までの最短距離より短いことを特徴とする。
【発明の効果】
【００２７】
本発明の一実施形態によれば、接着部材が表示パネルの上面に全体的に重畳するように配置される。したがって、補強部材が表示パネルの下部に接着される過程で圧力が発生しても表示パネルを接着部材によって固定することができる。その結果、表示パネルの破損を防止することができる。
【図面の簡単な説明】
【００２８】
【図１Ａ】本発明の一実施形態に係る表示装置の斜視図である。
【図１Ｂ】本発明の一実施形態に係る表示装置の斜視図である。
【図１Ｃ】本発明の他の実施形態に係る表示装置の斜視図である。
【図１Ｄ】本発明の他の実施形態に係る表示装置の斜視図である。
【図１Ｅ】本発明の他の実施形態に係る表示装置の斜視図である。
【図２Ａ】本発明の一実施形態に係る表示装置の断面図である。
【図２Ｂ】本発明の他の実施形態に係る表示装置の断面図である。
【図３】本発明の一実施形態に係る表示装置の一部分を示した斜視図である。
【図４Ａ】図３に図示された表示パネルの断面図である。
【図４Ｂ】図３に図示された表示パネルの平面図である。
【図４Ｃ】図４Ｂに図示された画素の等価回路図である。
【図５Ａ】本発明の一実施形態に係る図３に図示された表示装置の分解斜視図である。
【図５Ｂ】本発明の他の実施形態に係る表示装置の分解斜視図である。
【図６Ａ】本発明の一実施形態に係る図３に図示されたＩ−Ｉ’に沿って切断された断面図である。
【図６Ｂ】図６Ａに図示されたＡＡ領域を拡大した断面図である。
【図７】本発明の他の実施形態に係る表示装置の断面図である。
【図８】本発明の他の実施形態に係る表示装置の一部分を示した斜視図である。
【図９Ａ】本発明の他の実施形態に係る図８に図示されたＩＩ−ＩＩ’に沿って切断された断面図である。
【図９Ｂ】本発明の他の実施形態に係る図８に図示されたＩＩ−ＩＩ’に沿って切断された断面図である。
【図１０】本発明の他の実施形態に係る表示装置の一部分を示した斜視図である。
【図１１】図１０に図示されたＩＩＩ−ＩＩＩ’に沿って切断された断面図である。
【図１２】図１０に図示されたＩＶ−ＩＶ’に沿って切断された断面図である。
【発明を実施するための形態】
【００２９】
本明細書で、ある構成要素（又は領域、層、部分等）が他の構成要素“上にある”、“連結される”、又は“結合される”と言及される場合に、それは他の構成要素上に直接配置／連結／結合されることができるか、或いはこれらの間に第３の構成要素が配置されることもできることを意味する。
【００３０】
同一の図面符号は同一の構成要素を称する。また、図面において、構成要素の厚さ、比率、及び寸法は技術的内容の効果的な説明のために誇張されたものである。
【００３１】
“及び／又は”は連関された構成が定義できる１つ以上の組合を全て含む。
【００３２】
第１、第２等の用語は多様な構成要素を説明するために使用されるが、前記構成要素は前記用語によって限定されてはならない。前記用語は１つの構成要素を他の構成要素から区別する目的のみに使用される。例えば、本発明の権利範囲を逸脱しなく、第１構成要素は第２構成要素と称され、同様に第２構成要素も第１構成要素と称されることができる。単数の表現は、文脈の上で明確に異なるものを意味しない限り、複数の表現を含む。
【００３３】
また、“下に”、“下側に”、“上に”、“上側に”等の用語は図面に図示された構成の連関関係を説明するために使用される。前記用語は相対的な概念として図面に表示された方向を基準に説明される。
【００３４】
特に定義されない限り、本明細書で使用されるすべての用語（技術的及び科学的用語を含む）は本発明が属する技術分野で当業者によって一般的に理解される同一の意味を有する。また、一般的に使用される辞典で定義された用語と同一の用語は、関連技術の文脈上の意味と一致する意味を有することと解釈しなければならず、理想的な又は過度に形式的な意味に解釈されない限り、明示的にここで定義される。
【００３５】
“含む”等の用語は明細書上に記載された特徴、数字、段階、動作、構成要素、部品又はこれらを組み合わせたものが存在することを表現しようするものであり、１つ又はその以上の他の特徴や数字、段階、動作、構成要素、部分品、又はこれらを組み合わせたものの存在又は付加可能性を予め排除しないものとして理解されるべきである。
【００３６】
以下、図面を参照して本発明の実施形態を説明する。
【００３７】
図１Ａ及び図１Ｂは本発明の一実施形態に係る表示装置の斜視図である。
【００３８】
図１Ａ及び図１Ｂを参照すれば、表示面ＤＤ−ＩＳは第１方向ＤＲ１及び第１方向ＤＲ１と交差する第２方向ＤＲ２に各々延長された形状を有する。表示面ＤＤ−ＩＳの法線方向、即ち表示装置ＤＤの厚さ方向は第３方向ＤＲ３が指示する。以下で説明される各部材又はユニットの前面（又は上面）と背面（又は下面）は第３方向ＤＲ３によって区分される。しかし、本実施形態で図示された第１乃至第３方向ＤＲ１、ＤＲ２、ＤＲ３は例示に過ぎず、第１乃至第３方向ＤＲ１、ＤＲ２、ＤＲ３が指示する方向は他の方向に変換されてもよい。
【００３９】
本発明の実施形態によれば、平面視において表示面ＤＤ−ＩＳの少なくとも一部分は曲線を含むことができる。例えば、平面視において、表示面ＤＤ−ＩＳは第１方向ＤＲ１に延長された第１辺、第２方向ＤＲ２に延長された第２辺、第１方向ＤＲ１に延長され、第１辺と対向する第３辺、及び第２方向ＤＲ２に延長され第２辺と対向する第４辺を含むことができる。また、表示面ＤＤ−ＩＳは第１辺と第２辺を連結する第１曲線、第２辺と第３辺を連結する第２曲線、第３辺と第４辺を連結する第３曲線、及び第４辺と第１辺を連結する第４曲線を含む。第１乃至第４曲線は表示面ＤＤ−ＩＳのコーナーに対応される。
【００４０】
他の例によれば、表示面ＤＤ−ＩＳは第１方向ＤＲ１及び第２方向ＤＲ２が定義する面と平行である。この場合、表示面ＤＤ−ＩＳは方形状に提供される。
【００４１】
一方、表示装置ＤＤの一部が平面視において曲線形状の表示面ＤＤ−ＩＳを有することと説明されるが、立体型表示面を含むこともできる。立体型表示面は互いに異なる方向を指示する複数の表示領域を含み、例えば多角柱型表示面を含んでもよい。
【００４２】
本発明に係る表示装置ＤＤはリジッド表示装置である。しかし、これに制限されず、本発明に係る表示装置ＤＤはフレキシブル表示装置であってもよい。本発明の実施形態によれば、携帯電話端末に適用されることができる表示装置ＤＤが例示的に図示されている。
【００４３】
また、図示しないが、メインボードに実装された電子モジュール、カメラモジュール、電源モジュール等が表示装置ＤＤと共にブラケット／ケース等に配置されることによって携帯電話端末を構成することができる。本発明に係る表示装置ＤＤはテレビジョン、モニター等のような大型電子装置を始めとして、タブレット、カーナビゲーション、ゲーム機、スマートウォッチ等のような中小型電子装置等に適用されることができる。
【００４４】
図１Ａに図示されるように、表示面ＤＤ−ＩＳはイメージＩＭが表示される表示領域ＤＤ−ＤＡ及び表示領域ＤＤ−ＤＡに隣接するベゼル領域ＤＤ−ＮＤＡを含む。ベゼル領域ＤＤ−ＮＤＡはイメージが表示されない領域である。図１ＡにはイメージＩＭの一例として時計及びアイコンイメージを図示している。
【００４５】
特に、本発明に係る表示装置ＤＤは第１非ベンディング領域ＮＢＡ１、第２非ベンディング領域ＮＢＡ２、及びベンディング領域ＢＡを含む。第１非ベンディング領域ＮＢＡ１、第２非ベンディング領域ＮＢＡ２、及びベンディング領域ＢＡは以下の図３を通じて説明される表示パネルＤＰを基準として設定されることができる。
【００４６】
平面視において、表示装置ＤＤは領域に応じて互いに異なる第２方向ＤＲ２の幅を有することができる。ベンディング領域ＢＡ及び第２非ベンディング領域ＮＢＡ２は第１非ベンディング領域ＮＢＡ１の第２方向ＤＲ２の最大幅より小さい第２方向ＤＲ２の幅を有する。ベンディング領域ＢＡが第１非ベンディング領域ＮＢＡ１より相対的に小さい幅を有することによって、ベンディングを容易にすることができる。一方、図１Ａで第２方向ＤＲ２の幅が漸次的に減少する境界領域は、第１非ベンディング領域ＮＢＡ１に含まれることができる。本発明の一実施形態で第２方向ＤＲ２の幅が漸次的に減少する境界領域は省略されてもよい。第２非ベンディング領域ＮＢＡ２はパッド領域ＳＰＤ（図４Ｂ参照）を含む。
【００４７】
図１Ｂは、表示装置ＤＤがベンディングされた状態を図示している。ベンディング領域ＢＡは第２方向ＤＲ２に沿って延長されるベンディング軸ＢＸに沿ってベンディングされる。表示装置ＤＤがベンディングされた状態で、第２非ベンディング領域ＮＢＡ２は第１非ベンディング領域ＮＢＡ１と対向し、第３方向ＤＲ３において第１非ベンディング領域ＮＢＡ１と離隔される。
【００４８】
図１Ｃは本発明の他の実施形態に係る表示装置の斜視図である。図１Ｄは本発明の他の実施形態に係る表示装置の斜視図である。図１Ｅは本発明の他の実施形態に係る表示装置の斜視図である。
【００４９】
図１Ｃを参照すれば、表示装置ＤＤ２は非定型化された形状の表示領域ＤＤ−ＤＡを含む。図１Ａに図示された表示領域ＤＤ−ＤＡと比較すれば、表示装置ＤＤ２の表示領域ＤＤ−ＤＡは第１方向ＤＲ１において少なくとも一端が突出された形状の表示領域をさらに含む。
【００５０】
例えば、表示装置ＤＤ２は突出された形状の表示領域に隣接するように配置されたスピーカーＳＰとカメラモジュールＣＭＡを含む。スピーカーＳＰとカメラモジュールＣＭＡはベゼル領域ＤＤ−ＮＤＡに重畳するように配置され、表示領域ＤＤ−ＤＡと重畳しない。
【００５１】
図１Ｄを参照すれば、表示装置ＤＤ３は３つのベンディング領域ＢＡ１、ＢＡ２、ＢＡ３を含む。図１Ａに図示された表示装置ＤＤと比較すれば、第１非ベンディング領域ＮＢＡ１の第２方向ＤＲ２において対向する２つのエッジ領域が中心領域からベンディングされて第２及び第３ベンディング領域ＢＡ２、ＢＡ３が定義される。第１ベンディング領域ＢＡ１は図１Ａ及び図１Ｂのベンディング領域ＢＡに対応する。
【００５２】
図１Ｅを参照すれば、表示装置ＤＤ４は図１Ａ乃至図１Ｄに図示された表示装置と比較して、ベンディング領域を含まない。即ち、表示装置ＤＤ４に含まれた表示パネルはリジッドであり、全体領域が非ベンディング領域として定義されることができる。
【００５３】
図２Ａは本発明の一実施形態に係る表示装置の断面図である。図２Ｂは本発明の他の実施形態に係る表示装置の断面図である。
【００５４】
図２Ａを参照すれば、表示装置ＤＤは補強部材ＭＴ、表示パネルＤＰ、偏光部材ＰＯＬ、入力感知ユニットＩＳＵ、ウィンドウ部材ＷＭ、及び接着部材ＡＭ１〜ＡＭ３を含む。
【００５５】
ウィンドウ部材ＷＭは図１Ａに図示された表示装置ＤＤの表示面ＤＤ−ＩＳを定義する。即ち、ウィンドウ部材ＷＭの上面は表示面ＤＤ−ＩＳに対応し、ウィンドウ部材ＷＭの上面には外部から映像が直接的に視認される表示領域ＤＤ−ＤＡ及び表示領域ＤＤ−ＤＡに隣接するベゼル領域ＤＤ−ＮＤＡが定義される。他の例として、ベゼル領域ＤＤ−ＮＤＡは省略されてもよい。
【００５６】
一方、ウィンドウ部材ＷＭに定義された表示領域ＤＤ−ＤＡは表示パネルＤＰから提供された映像が実際に透過される透過領域に対応し、ベゼル領域ＤＤ−ＮＤＡは表示パネルＤＰから提供された映像が透過されない非透過領域に対応する。また、先に上述されたように、ウィンドウ部材ＷＭにおいて非透過領域は省略されてもよい。
【００５７】
表示パネルＤＰは補強部材ＭＴ及び偏光部材ＰＯＬの間に配置される。表示パネルＤＰは映像を生成し、生成された映像はウィンドウ部材ＷＭを通じて外部使用者に視認される。偏光部材ＰＯＬはウィンドウ部材ＷＭを通じて入射される外部光の偏光を制御する。
【００５８】
第１接着部材ＡＭ１は偏光部材ＰＯＬ及び表示パネルＤＰの間に配置され、偏光部材ＰＯＬ及び表示パネルＤＰは第１接着部材ＡＭ１によって互いに固定される。図示されないが、表示パネルＤＰ及び補強部材ＭＴの間に接着部材がさらに配置されてもよい。
【００５９】
入力感知ユニットＩＳＵはウィンドウ部材ＷＭ及び偏光部材ＰＯＬの間に配置される。入力感知ユニットＩＳＵは外部で印加される入力を感知する。外部から印加される入力は多様な形態に提供されることができる。例えば、外部入力は使用者身体の一部、スタイラスペン、光、熱、又は圧力等多様な形態の外部入力を含む。また、使用者の手等身体の一部が接触する入力はもちろん、近接するか、隣接する空間タッチ（例えば、ホバリング）も入力の一形態である。第２接着部材ＡＭ２はウィンドウ部材ＷＭ及び入力感知ユニットＩＳＵの間に配置され、ウィンドウ部材ＷＭ及び入力感知ユニットＩＳＵは第２接着部材ＡＭ２によって互いに固定される。第３接着部材ＡＭ３は偏光部材ＰＯＬ及び入力感知ユニットＩＳＵの間に配置され、偏光部材ＰＯＬ及び入力感知ユニットＩＳＵは第３接着部材ＡＭ３によって互いに固定される。
【００６０】
補強部材ＭＴは表示パネルＤＰを支持する。補強部材ＭＴは金属物質を含むことができ、一例として金属物質はモリブデン、銀、チタニウム、銅、アルミニウム、又はこれらの合金を含むことができる。
【００６１】
実施形態によれば、第１乃至第３接着部材ＡＭ１〜ＡＭ３は光学透明接着フィルム（Ｏｐｔｉｃａｌｌｙ  Ｃｌｅａｒ  Ａｄｈｅｓｉｖｅ  ｆｉｌｍ）又は光学透明接着樹脂（Ｏｐｔｉｃａｌｌｙ  Ｃｌｅａｒ  Ｒｅｓｉｎ）である。以下、本発明によれば、第１乃至第３接着部材ＡＭ１、ＡＭ２、ＡＭ３は光学透明接着フィルムであることと説明される。
【００６２】
図２Ｂを参照すれば、表示装置ＤＤｚに含まれた表示パネルＤＰ及び入力感知ユニットＩＳＵは連続工程によって互いに積層されることができる。即ち、表示パネルＤＰ上に入力感知ユニットＩＳＵが連続工程によって直接形成されることができる。この場合、図２Ａに図示された第３接着部材ＡＭ３は省略されてもよく、偏光部材ＰＯＬは入力感知ユニットＩＳＵ及びウィンドウ部材ＷＭの間に配置されることができる。第１接着部材ＡＭ１ａは入力感知ユニットＩＳＵ及び偏光部材ＰＯＬの間に配置され、第２接着部材ＡＭ２ａはウィンドウ部材ＷＭ及び偏光部材ＰＯＬの間に配置される。
【００６３】
本発明の実施形態によれば、入力感知ユニットＩＳＵ、補強部材ＭＴ、及びウィンドウ部材ＷＭは図１Ａで説明された第１非ベンディング領域ＮＢＡ１のみに重畳する。表示パネルＤＰは図１Ａで説明された第１非ベンディング領域ＮＢＡ１、第２非ベンディング領域ＮＢＡ２、及びベンディング領域ＢＡに全て重畳する。即ち、表示パネルＤＰによって第１非ベンディング領域ＮＢＡ１、第２非ベンディング領域ＮＢＡ２、及びベンディング領域ＢＡが定義される。
【００６４】
図３は本発明の一実施形態に係る表示装置の一部分を示した斜視図である。図４Ａは図３に図示された表示パネルの断面図である。図４Ｂは図３に図示された表示パネルの平面図である。図４Ｃは図４Ｂに図示された画素の等価回路図である。
【００６５】
図３を参照すれば、表示装置ＤＤは図２Ａに図示された構成の中で補強部材ＭＴ、表示パネルＤＰ、接着部材ＡＭ、及び入力感知ユニットＩＳＵの構成が図示されている。また、表示装置ＤＤは図２Ａに図示されていない保護部材ＰＭをさらに含む。説明を簡単にするために、ウィンドウ部材ＷＭ、偏光部材ＰＯＬ、及び残りの接着部材ＡＭ２、ＡＭ２の構成に対する説明は省略する。
【００６６】
本発明の実施形態によれば、表示パネルＤＰは第１非ベンディング領域ＮＢＡ１、第２非ベンディング領域ＮＢＡ２、及びベンディング領域ＢＡを含む。表示領域ＤＤ−ＤＡは第１非ベンディング領域ＮＢＡ１に全体的に重畳され、第２非ベンディング領域ＮＢＡ２に一部重畳される。以下、本発明によれば、図１Ａで説明された第１非ベンディング領域ＮＢＡ１に含まれた第２方向ＤＲ２の幅が漸次的に減少される境界領域が省略された表示装置ＤＤに対して説明される。
【００６７】
詳細に、図４Ａを参照すれば、表示パネルＤＰは基板ＳＵＢ、回路層ＣＯＬ、発光素子層ＥＤ、及び封止部材ＥＣＬを含む。
【００６８】
基板ＳＵＢはプラスチック基板、ガラス基板、又は有機／無機複合材料基板等を含む。又は、基板ＳＵＢは複数の絶縁層を含む積層構造体である。プラスチック基板はアクリル系樹脂、メタクリル系樹脂、ポリイソプレンビニール系樹脂、エポキシ系樹脂、ウレタン系樹脂、セルロース系樹脂、シロキサン系樹脂、ポリイミド系樹脂、ポリアミド系樹脂、及びペリレン系樹脂の中で少なくともいずれか１つを含むことができる。
【００６９】
回路層ＣＯＬは複数の絶縁層、複数の導電層、及び半導体層を含む。回路層ＣＯＬの複数の導電層は信号配線又は画素の制御回路を構成する。
【００７０】
発光素子層ＥＤは表示素子、例えば有機発光ダイオードを含む。但し、これに制限されるものではなく、表示パネルＤＰの種類に応じて、発光素子層ＥＤは無機発光ダイオード又は有機−無機ハイブリッド発光ダイオードを含むことができる。実施形態によれば、表示素子は表示パネルＤＰの第１非ベンディング領域ＮＢＡ１上に配置される。
【００７１】
封止部材ＥＣＬは発光素子層ＥＤを密封する。一例として、封止部材ＥＣＬはリジッドな封止基板として提供される。封止部材ＥＣＬは水分、酸素、及びほこり粒子のような異物から発光素子層ＥＤを保護する。封止部材ＥＣＬはシーリング部材ＳＬＰを通じて基板ＳＵＢと結合される。シーリング部材ＳＬＰはフリット（ｆｒｉｔ）を含む。但し、これは例示的なものであって、シーリング部材ＳＬＰを構成する物質はこれに制限されるものではない。
【００７２】
他の例として、封止部材ＥＣＬは少なくとも１つの絶縁層を含む。本発明の一実施形態に係る封止部材ＥＣＬは少なくとも１つの封止有機膜及び少なくとも１つの封止無機膜を含むことができる。
【００７３】
一方、封止部材ＥＣＬの上には図２Ａを通じて説明された第１接着部材ＡＭ１が配置され、第１接着部材ＡＭ１上に入力感知ユニットＩＳＵが配置される。図４Ｂを参照すれば、表示パネルＤＰは駆動回路ＧＤＣ、複数の信号配線ＳＧＬ、パッド領域ＳＰＤに配置された複数のパッド（以下、パッドＳＰＤとして説明）、及び複数の画素ＰＸ（以下、画素）を含む。画素ＰＸは表示領域ＤＰ−ＤＡに配置される。画素ＰＸの各々は有機発光ダイオードとそれに連結された画素駆動回路とを含む。駆動回路ＧＤＣ、信号配線ＳＧＬ、パッド領域ＳＰＤに配置されたパッド、及び画素駆動回路は図２Ａに図示された回路層ＣＯＬに含まれることができる。
【００７４】
本発明の実施形態によれば、表示パネルＤＰの画素ＰＸと回路層ＣＯＬの駆動回路ＧＤＣは第１非ベンディング領域ＮＢＡ１に重畳する。信号配線ＳＧＬは第１非ベンディング領域ＮＢＡ１、第２非ベンディング領域ＮＢＡ２、及びベンディング領域ＢＡの各々に重畳する。
【００７５】
駆動回路ＧＤＣは複数の走査信号（以下、走査信号）を生成し、走査信号を後述する複数の走査配線ＧＬ（以下、走査配線）に順次的に出力する。駆動回路ＧＤＣは画素ＰＸの駆動回路にその他の制御信号をさらに出力することができる。
【００７６】
駆動回路ＧＤＣは画素ＰＸの駆動回路と同一の工程、例えばＬＴＰＳ（Ｌｏｗ  Ｔｅｍｐｅｒａｔｕｒｅ  Ｐｏｌｙｃｒｙｓｔａｌｉｎｅ  Ｓｉｌｉｃｏｎ）工程又はＬＴＰＯ（Ｌｏｗ  Ｔｅｍｐｅｒａｔｕｒｅ  Ｐｏｌｙｃｒｙｓｔａｌｌｉｎｅ  Ｏｘｉｄｅ）工程を通じて形成された複数の薄膜トランジスタを含む。
【００７７】
信号配線ＳＧＬは表示領域ＤＰ−ＤＡ及びベゼル領域ＤＰ−ＮＤＡに重畳し、パッドＳＰＤに連結される。信号配線ＳＧＬは走査配線ＧＬ、データ配線ＤＬ、電源配線ＰＬ、及び制御信号配線ＣＳＬを含む。走査配線ＧＬは画素ＰＸの中で対応する画素ＰＸに連結され、データ配線ＤＬの各々は画素ＰＸのうち、対応する画素ＰＸに各々連結される。電源配線ＰＬは画素ＰＸに連結される。制御信号配線ＣＳＬは走査駆動回路に制御信号を提供する。
【００７８】
また、図示されないが、パッド及び信号配線ＳＧＬを電気的に連結する駆動チップがベゼル領域ＤＰ−ＮＤＡに重畳するように基板ＳＵＢ上に配置されることができる。駆動チップはデータ配線ＤＬ及び電源配線ＰＬに駆動信号を伝達する。
【００７９】
図４Ｃを参照すれば、いずれか１つの走査配線ＧＬ、いずれか１つのデータ配線ＤＬ、電源配線ＰＬ、及びこれらに連結された画素ＰＸが図示されている。画素ＰＸの構成は図４に制限されず、変形されて実施されることができる。
【００８０】
有機発光ダイオードＯＬＥＤは前面発光形ダイオードであるか、或いは背面発光形ダイオードである。画素ＰＸは有機発光ダイオードＯＬＥＤを駆動するための画素駆動回路として第１トランジスタＴ１（又はスイッチングトランジスタ）、第２トランジスタＴ２（又は駆動トランジスタ）、及びキャパシターＣｓｔを含む。第１電源電圧ＥＬＶＤＤは第２トランジスタＴ２に提供され、第２電源電圧ＥＬＶＳＳは有機発光ダイオードＯＬＥＤに提供される。第２電源電圧ＥＬＶＳＳは第１電源電圧ＥＬＶＤＤより低い電圧である。
【００８１】
第１トランジスタＴ１は走査配線ＧＬに印加された走査信号に応答してデータ配線ＤＬに印加されたデータ信号を出力する。キャパシターＣｓｔは第１トランジスタＴＲ１から受信したデータ信号に対応する電圧を充電する。第２トランジスタＴ２は有機発光ダイオードＯＬＥＤに連結される。第２トランジスタＴ２はキャパシターＣｓｔに格納された電荷量に対応して有機発光ダイオードＯＬＥＤに流れる駆動電流を制御する。
【００８２】
等価回路は１つの一実施形態に過ぎず、これに制限されない。画素ＰＸは複数のトランジスタをさらに含むことができ、さらに多い数のキャパシターを含むことができる。有機発光ダイオードＯＬＥＤは電源配線ＰＬと第２トランジスタＴ２との間に接続されてもよい。
【００８３】
また、画素ＰＸに含まれた有機発光ダイオードＯＬＥＤは図２Ａに図示された発光素子層ＥＤに含まれることができ、トランジスタＴ１、Ｔ２は回路層ＣＯＬに含まれることができる。
【００８４】
第１トランジスタＴ１及び第２トランジスタＴ２はＮタイプの薄膜トランジスタ又はＰタイプの薄膜トランジスタである。また、本発明の他の一実施形態で第１トランジスタＴ１及び第２トランジスタＴ２のうち少なくとも１つはＮタイプの薄膜トランジスタであり、他の１つはＰタイプの薄膜トランジスタである。
【００８５】
再び図３を参照すれば、表示装置ＤＤは表示パネルＤＰ及び補強部材ＭＴの間に配置された保護部材ＰＭをさらに含むことができる。保護部材ＰＭは外部の湿気が表示パネルＤＰに浸透することを防止し、外部衝撃を吸収する。保護部材ＰＭは表示パネルＤＰの第１非ベンディング領域ＮＢＡ１及び第２非ベンディング領域ＮＢＡ２の各々に配置される。例えば、保護部材ＰＭはベンディング領域ＢＡを介して第３方向ＤＲ３において離隔された第１保護部材及び第２保護部材を含む。
【００８６】
一例として、保護部材ＰＭはプラスチックフィルムをベース層として含むことができる。保護部材ＰＭはポリエーテルスルホン（ＰＥＳ、ｐｏｌｙｅｔｈｅｒｓｕｌｆｏｎｅ）、ポリアクリレート（ｐｏｌｙａｃｒｙｌａｔｅ）、ポリエーテルイミド（ＰＥＩ、ｐｏｌｙｅｔｈｅｒｉｍｉｄｅ）、ポリエチレンナフタレート（ＰＥＮ、ｐｏｌｙｅｔｈｙｌｅｎｅｎａｐｈｔｈａｌａｔｅ）、ポリエチレンテレフタレート（ＰＥＴ、ｐｏｌｙｅｔｈｙｌｅｎｅｔｅｒｅｐｈｔｈａｌａｔｅ）、ポリフェニレンスルフィド（ＰＰＳ、ｐｏｌｙｐｈｅｎｙｌｅｎｅ  ｓｕｌｆｉｄｅ）、ポリアリレート（ｐｏｌｙａｒｙｌａｔｅ）、ポリイミド（ＰＩ、ｐｏｌｙｉｍｉｄｅ）、ポリカーボネート（ＰＣ、ｐｏｌｙｃａｒｂｏｎａｔｅ）、ポリアリーレンエーテルスルホン（ｐｏｌｙ（ａｒｙｌｅｎｅ  ｅｔｈｅｒｓｕｌｆｏｎｅ））、及びこれらの組み合わせのグループから選択されたいずれか１つを含むプラスチックフィルムを含むことができる。
【００８７】
保護部材ＰＭを構成する物質はプラスチック樹脂に制限されず、有機／無機複合材料を含むことができる。保護部材ＰＭは多孔性有機層及び有機層の気孔に充填された無機物を含むことができる。保護部材ＰＭはプラスチックフィルムに形成された機能層をさらに含むことができる。機能層は樹脂層を含み、コーティング方式によって形成されることができる。
【００８８】
補強部材ＭＴは第１非ベンディング領域ＮＢＡ１に重畳するように保護部材ＰＭの下部に配置される。先に図２Ａを通じて上述されたように、補強部材ＭＴは金属物質で提供され、外部衝撃から表示パネルＤＰの損傷を防止することができる。
【００８９】
接着部材ＡＭは入力感知ユニットＩＳＵ及び表示パネルＤＰを互いに接着させる。図３に図示された接着部材ＡＭは図２Ａに図示された第１接着部材ＡＭ１に対応する。
【００９０】
図５Ａは本発明の一実施形態に係る図３に図示された表示装置の分解斜視図である。図５Ｂは本発明の他の実施形態に係る表示装置の分解斜視図である。
【００９１】
図５Ａを参照すれば、図３に図示された接着部材ＡＭ、表示パネルＤＰ、及び補強部材ＭＴの分解斜視図が図示され、保護部材ＰＭ及び入力感知ユニットＩＳＵの構成は説明を簡単にするために省略されている。
【００９２】
本発明の実施形態によれば、第３方向ＤＲ３において、接着部材ＡＭ及び表示パネルＤＰの第１非ベンディング領域ＮＢＡ１は互いに全体的に重畳する。平面視において、接着部材ＡＭの面積は表示パネルＤＰの第１非ベンディング領域ＮＢＡ１の面積と略同一である。図５Ａに図示されたように、接着部材ＡＭのエッジ部分と表示パネルＤＰの第１非ベンディング領域ＮＢＡ１のエッジ部分とが整列する。
【００９３】
第３方向ＤＲ３において、補強部材ＭＴの全体面積が表示パネルＤＰの第１非ベンディング領域ＮＢＡ１に重畳する。特に、補強部材ＭＴの面積は接着部材ＡＭ及び表示パネルＤＰの第１非ベンディング領域ＮＢＡ１の各々の面積より小さい。例えば、第１方向ＤＲ１において、補強部材ＭＴの幅は表示パネルＤＰの幅より小さく、第２方向ＤＲ２において、補強部材ＭＴの幅は表示パネルＤＰの幅より小さい。
【００９４】
一方、図示されないが、補強部材ＭＴの上面には接着剤が接着されてもよい。接着剤が配置された補強部材ＭＴの上面が表示パネルＤＰの下部に配置された後に、補強部材ＭＴが表示パネルＤＰの下部に強固に固定されるために、補強部材ＭＴに所定の外部圧力が加えられることがある。
【００９５】
この場合、補強部材ＭＴが金属物質で提供されることによって、補強部材ＭＴに伝達された圧力が表示パネルＤＰの一部分まで伝達される。その結果、表示パネルＤＰに伝達された圧力によって、表示パネルＤＰの一部分に配置された回路層ＣＯＬ（図２Ａ参照）の回路素子が破損する場合がある。特に、補強部材ＭＴのエッジ部分に隣接する表示パネルＤＰ部分に圧力がさらに加わることがある。
【００９６】
これを防止するために、本発明に係る接着部材ＡＭは、表示パネルＤＰの第１非ベンディング領域ＮＢＡ１全体に重畳するように表示パネルＤＰ上に配置されてもよい。補強部材ＭＴに伝達された圧力が表示パネルＤＰに伝達されても、接着部材ＡＭによって表示パネルＤＰが全体的に固定されることによって、表示パネルＤＰの移動を防止することができる。したがって、補強部材ＭＴに伝達された圧力によって表示パネルＤＰが損傷することを防止することができる。これに対しては、以下の図６Ａ及び図６Ｂを通じてより詳細に説明される。
【００９７】
図５Ｂは、先に図１Ｃを通じて説明された表示装置ＤＤ２に基づく表示装置ＤＤａが説明される。図５Ｂを参照すれば、表示パネルＤＰａは第１乃至第３表示領域ＤＰ−ＤＡ１、ＤＰ−ＤＡ２、ＤＰ−ＤＡ３を含む。第２表示領域ＤＰ−ＤＡ２及び第３表示領域ＤＰ−ＤＡ３は第１表示領域ＤＰ−ＤＡ１から第１方向ＤＲ１に沿って突出され、第２方向ＤＲ２において互いに離隔された形状を有する。
【００９８】
本発明の実施形態によれば、接着部材ＡＭａは第１乃至第３表示領域ＤＰ−ＤＡ１〜ＤＰ−ＤＡ３を含んだ表示パネルＤＰａの第１非ベンディング領域ＮＢＡ１ａに全体的に重畳する。平面視において、接着部材ＡＭａの面積は表示パネルＤＰａの第１非ベンディング領域ＮＢＡ１ａの面積と略同一である。
【００９９】
補強部材ＭＴａの全体面積は表示パネルＤＰａの第１非ベンディング領域ＮＢＡ１ａに全体的に重畳する。平面視において、補強部材ＭＴａの面積は接着部材ＡＭａ及び表示パネルＤＰａの第１非ベンディング領域ＮＢＡ１ａの各々の面積より小さい。
【０１００】
図６Ａは本発明の一実施形態に係る図３に図示されたＩ−Ｉ’に沿って切断された断面図である。図６Ｂは図６Ａに図示されたＡＡ領域を拡大した断面図である。
【０１０１】
図６Ａ及び図６Ｂに図示されるように、ウィンドウ部材ＷＭ、第１接着部材ＡＭ１、第２接着部材ＡＭ２、入力感知ユニットＩＳＵ、表示パネルＤＰ、及び補強部材ＭＴを示す断面図が図示される。保護部材ＰＭの構成は説明を簡単にするために省略する。
【０１０２】
以下、図６Ａを通じて、ウィンドウ部材ＷＭ、第１接着部材ＡＭ１、第２接着部材ＡＭ２、入力感知ユニットＩＳＵ、表示パネルＤＰ、及び補強部材ＭＴの各々の終端（エッジ）部分が表示される。各構成の終端は最外側部分を意味する。また、図６Ａ及び図６Ｂを通じて説明される第１接着部材ＡＭ１及び表示パネルＤＰは図５Ａに図示された接着部材ＡＭ及び第１非ベンディング領域ＮＢＡ１に各々対応する。
【０１０３】
具体的には、第１接着部材ＡＭ１は表示パネルＤＰに全体的に重畳する。例えば、第１接着部材ＡＭ１の終端ＡＭ１−Ｅ及び表示パネルＤＰの終端ＤＰ−Ｅは第３方向ＤＲ３において互いに整列する。
【０１０４】
特に、本発明によれば、ウィンドウ部材ＷＭの平面視において、ウィンドウ部材ＷＭの終端ＷＭ−Ｅから表示パネルＤＰの終端ＤＰ−Ｅまでの第１最短距離ＤＳ及びウィンドウ部材ＷＭの終端ＷＭ−Ｅから第１接着部材ＡＭ１の終端ＡＭ１−Ｅまでの第２最短距離ＤＳは互いに同一である。なお、本明細書中において「同一」とは必ずしも完全に同一である場合だけを指すのではなく、実質的に同一であるとみなせる範囲（同様の効果を奏する範囲）の差異を有する場合も含まれる。図６Ａに図示されるように、第１最短距離ＤＳ及び第２最短距離ＤＳは第２方向ＤＲ２においての長さである。
【０１０５】
また、ウィンドウ部材ＷＭの平面視において、第１最短距離ＤＳはウィンドウ部材ＷＭの終端ＷＭ−Ｅから補強部材ＭＴの終端ＭＴ−Ｅまでの最短距離より短い。したがって、補強部材ＭＴの終端ＭＴ−Ｅは表示パネルＤＰの終端ＤＰ−Ｅから所定間隔で離隔された表示パネルＤＰの一部分に重畳される。
【０１０６】
また、ウィンドウ部材ＷＭの平面視において、第１最短距離ＤＳはウィンドウ部材ＷＭの終端ＷＭ−Ｅから入力感知ユニットＩＳＵの終端ＩＳＵ−Ｅまでの最短距離より長い。したがって、表示パネルＤＰの終端ＤＰ−Ｅは入力感知ユニットＩＳＵの終端ＩＳＵ−Ｅから所定間隔で離隔された入力感知ユニットＩＳＵの一部分に重畳される。
【０１０７】
一方、先に図５Ａを通じて説明されたように、接着剤が配置された補強部材ＭＴの上面が表示パネルＤＰの下部に配置された後に、補強部材ＭＴが表示パネルＤＰの下部に強固に固定されるために、補強部材ＭＴに所定の外部圧力が加えられることがある。
【０１０８】
図６Ｂを参照すれば、補強部材ＭＴは補強部ＭＴ−Ｓ及び補強部ＭＴ−Ｓ上に配置された接着剤ＭＴ−ＡＭを含む。例えば、接着剤ＭＴ−ＡＭは減圧接着フィルム（Ｐｒｅｓｓｕｒｅ  Ｓｅｎｓｉｔｉｖｅ  Ａｄｈｅｓｉｖｅ  ｆｉｌｍ）である。補強部ＭＴ−Ｓは金属物質で提供される。
【０１０９】
パッド部ＰＰは補強部ＭＴ−Ｓの下面に全体的に配置されて、補強部ＭＴ−Ｓを表示パネルＤＰ方向に圧着することができる。パッド部ＰＰが補強部ＭＴ−Ｓに圧力を加える場合、表示パネルＤＰにも補強部ＭＴ−Ｓを通じて圧力ＰＡが伝達される。特に、補強部材ＭＴの終端ＭＴ−Ｅに隣接する表示パネルＤＰの一部分に圧力ＰＡがさらに強く加わる。
【０１１０】
図６Ｂに図示されたように、補強部材ＭＴの終端ＭＴ−Ｅに隣接する表示パネルＤＰの一部分ＨＳに補強部ＭＴ−Ｓから伝達された圧力ＰＡがさらに集中する場合がある。従来技術では、その結果、表示パネルＤＰの一部分ＨＳが移動したり、或いは剥離したりすることによって、表示パネルＤＰの一部分ＨＳに含まれた回路素子が破損する場合があった。
【０１１１】
しかし、本発明に係る第１接着部材ＡＭ１が表示パネルＤＰの上面に全体的に配置されることによって、補強部ＭＴ−Ｓから圧力ＰＡが伝達されたとしても、表示パネルＤＰの移動を防止することができる。即ち、第１接着部材ＡＭ１によって表示パネルＤＰが固定されることによって、補強部材ＭＴの終端ＭＴ−Ｅから加えられた圧力によって前記表示パネルＤＰの一部分ＨＳが剥離したり、或いは移動したりすることが防止できる。したがって、表示パネルＤＰの損傷が防止されるので、表示装置ＤＤの全般的な信頼性を向上させることができる。
【０１１２】
図７は本発明の他の実施形態に係る表示装置の断面図である。
【０１１３】
図７に図示された表示装置ＤＤ−１は図６Ａに図示された表示装置ＤＤと比較して、補強部材ＭＴ−１の構造が変形されただけで、残りの構成は実質的に同一の構造及び構成を有する。したがって、残りの構成に対する説明を省略し、補強部材ＭＴ−１を中心に図７について説明する。
【０１１４】
図７を参照すれば、図５Ａ及び図６Ａに図示された補強部材ＭＴと比較して、補強部材ＭＴ−１は表示パネルＤＰの第１非ベンディング領域ＮＢＡ１及び第１接着部材ＡＭ１の各々に全体的に重畳する。補強部材ＭＴ−１の終端ＭＴ１−Ｅ、第１接着部材ＡＭ１の終端ＡＭ１−Ｅ、及び表示パネルＤＰの終端ＤＰ−Ｅは第３方向ＤＲ３において互いに整列する。
【０１１５】
したがって、ウィンドウ部材ＷＭの平面視において、ウィンドウ部材ＷＭの終端ＷＭ−Ｅから補強部材ＭＴ−１の終端ＭＴ−１Ｅまでの最短距離ＤＳ３はウィンドウ部材ＷＭの終端ＷＭ−Ｅから表示パネルＤＰの終端ＤＰ−Ｅ又はウィンドウ部材ＷＭの終端ＷＭ−Ｅから第１接着部材ＡＭ１の終端ＡＭ１−Ｅまでの最短距離ＤＳ３と互いに同一である。
【０１１６】
一方、先に図６Ｂを通じて上述されたように、パッド部ＰＰが補強部材ＭＴ−１の下面に全体的に配置されて、補強部材ＭＴ−１を表示パネルＤＰ方向に圧着することができる。特に、補強部材ＭＴ−１の終端ＭＴ−１Ｅに隣接する表示パネルＤＰの一部分に圧力がさらに強く加わることがある。
【０１１７】
しかし、図７に図示された実施形態に係る補強部材ＭＴ−１の終端ＭＴ−１Ｅは表示パネルＤＰの終端ＤＰ−Ｅに整列する。その結果、補強部材ＭＴ−１の終端ＭＴ−１Ｅに隣接する表示パネルＤＰの一部分に加わる圧力を少なくすることができる。これは、図７に図示された補強部材ＭＴ−１の終端ＭＴ−１Ｅ部分に隣接する表示パネルＤＰの領域が少なくなることによって、表示パネルＤＰに加えられる圧力が少なくなることによる。
【０１１８】
また、本発明の技術的思想はこれに限定されず、平面視において、補強部材ＭＴ−１の終端ＭＴ−１Ｅは表示パネルＤＰの終端ＤＰ−Ｅよりウィンドウ部材ＷＭの終端ＷＭ−Ｅにさらに隣接することができる。即ち、ウィンドウ部材ＷＭの平面視において、ウィンドウ部材ＷＭの終端ＷＭ−Ｅから補強部材ＭＴ−１の終端ＭＴ−１Ｅまでの最短距離はウィンドウ部材ＷＭの終端ＷＭ−Ｅから表示パネルＤＰの終端ＤＰ−Ｅまでの最短距離以下であってもよい。
【０１１９】
図８は本発明の他の実施形態に係る表示装置の一部分を示した斜視図である。図９Ａ及び図９Ｂは本発明の他の実施形態に係る図８に図示されたＩＩ−ＩＩ’に沿って切断された断面図である。
【０１２０】
図８を参照すれば、表示装置ＤＤｐは入力感知ユニットＩＳＵｐ、接着部材ＡＭｐ、表示パネルＤＰｐ、保護部材ＰＭｐ、及び補強部材ＭＴｐを含む。図８に図示された表示装置ＤＤｐは図３に図示された表示装置ＤＤと比較して、接着部材ＡＭｐ及び補強部材ＭＴｐの構成が異なり、残りの構成に対する構成及び構造は実質的に同一である。したがって、説明を簡単にするために、残りの構成に対する説明は省略する。
【０１２１】
具体的には、図８及び図９Ａを参照すれば、図５Ａ及び図６Ａに図示された接着部材ＡＭと比較して、第１方向ＤＲ１において接着部材ＡＭｐの幅は表示パネルＤＰｐの幅より小さく、第２方向ＤＲ２において接着部材ＡＭｐの幅は表示パネルＤＰｐの幅より小さい。
【０１２２】
この場合、ウィンドウ部材ＷＭの平面視において、ウィンドウ部材ＷＭの終端ＷＭ−Ｅから表示パネルＤＰｐの終端ＤＰｐ−Ｅまでの最短距離ＤＳｐはウィンドウ部材ＷＭの終端ＷＭ−Ｅから第１接着部材ＡＭ１ｐの終端ＡＭ１ｐ−Ｅまでの最短距離より短い。
【０１２３】
特に、本発明によれば、補強部材ＭＴｐの終端ＭＴｐ−Ｅ及び表示パネルＤＰｐの終端ＤＰｐ−Ｅは第３方向ＤＲ３において互いに整列させることができる。例えば、ウィンドウ部材ＷＭの平面視において、ウィンドウ部材ＷＭの終端ＷＭ−Ｅから補強部材ＭＴｐの終端ＭＴｐ−Ｅまでの最短距離ＤＳｐはウィンドウ部材ＷＭの終端ＷＭ−Ｅから表示パネルＤＰｐの終端ＤＰｐ−Ｅまでの最短距離ＤＳｐと互いに同一である。
【０１２４】
一方、補強部材ＭＴｐを表示パネルＤＰｐの下部に付着する過程で図６Ｂを通じて説明されたパッド部ＰＰによって補強部材ＭＴｐに圧力が伝達された場合、特に補強部材ＭＴｐの終端ＭＴｐ−Ｅでの圧力が大きい。
【０１２５】
図９Ａに図示された実施形態によれば、補強部材ＭＴｐの終端ＭＴｐ−Ｅが第３方向ＤＲ３において表示パネルＤＰｐの終端ＤＰｐ−Ｅに整列することによって、外部圧力によって表示パネルＤＰｐの一部分が破損されることを防止することができる。具体的には、補強部材ＭＴｐの終端ＭＴｐ−Ｅから表示パネルＤＰｐに加えられる圧力を表示パネルＤＰｐの終端ＤＰｐ−Ｅ及びこれに隣接する外部へ分散させることができる。その結果、補強部材ＭＴｐの終端ＭＴｐ−Ｅによって表示パネルＤＰｐに加えられる圧力が全体的に減少される。
【０１２６】
図９Ｂに図示された表示装置ＤＤｐ−１は図９Ａに図示された表示装置ＤＤｐと比較して、補強部材ＭＴｐ−１の構成のみが変わっただけで、残りの構成の構造は実質的に同一である。
【０１２７】
本発明の実施形態によれば、第２方向ＤＲ２において、ウィンドウ部材ＷＭの終端ＷＭ−Ｅから補強部材ＭＴｐ−１の終端ＭＴｐ−１Ｅまでの最短距離はウィンドウ部材ＷＭの終端ＷＭ−Ｅから表示パネルＤＰｐの終端ＤＰｐ−Ｅまでの最短距離より短い。即ち、ウィンドウ部材ＷＭの平面視において、補強部材ＭＴｐ−１の面積は表示パネルＤＰｐの第１非ベンディング領域ＮＢＡ１の面積より大きい。図９Ｂに図示されるように、第２方向ＤＲ２において、補強部材ＭＴｐ−１の終端ＭＴｐ−１Ｅは表示パネルＤＰｐの終端ＤＰｐ−Ｅより所定長さＤＳａ程度さらに延長されてもよい。
【０１２８】
上述されたように、補強部材ＭＴｐ−１の終端ＭＴｐ−１Ｅが表示パネルＤＰｐの終端ＤＰｐ−Ｅよりウィンドウ部材ＷＭの終端ＷＭ−Ｅさらに隣接する。即ち、補強部材ＭＴｐ−１の終端ＭＴｐ−１Ｅと表示パネルＤＰｐの終端ＤＰｐ−Ｅとが重畳しない。したがって、補強部材ＭＴｐ−１の終端ＭＴｐ−１Ｅによる圧力が表示パネルＤＰｐに伝達されることを防止することができる。
【０１２９】
図１０は本発明の他の実施形態に係る表示装置の一部分を示した斜視図である。図１１は図１０に図示されたＩＩＩ−ＩＩＩ’に沿って切断された断面図である。図１２は図１０に図示されたＩＶ−ＩＶ’に沿って切断された断面図である。
【０１３０】
図１０を参照すれば、表示装置ＤＤｂは入力感知ユニットＩＳＵｂ、接着部材ＡＭｂ、表示パネルＤＰｂ、保護部材ＰＭｂ、及び補強部材ＭＴｂを含む。図１０に図示された表示装置ＤＤｂは図８に図示された表示装置ＤＤｐと比較して、保護部材ＰＭｂ及び補強部材ＭＴｂの構成のみが変わっただけで、残りの構成の構造は実質的に同一である。したがって、残りの構成に対する説明は省略する。
【０１３１】
図１１を参照すれば、表示パネルＤＰｂは第１非ベンディング領域ＮＢＡ１、第２非ベンディング領域ＮＢＡ２、及び第１非ベンディング領域ＮＢＡ１及び第２非ベンディング領域ＮＢＡ２を連結するベンディング領域ＢＡを含む。第１非ベンディング領域ＮＢＡ１は表示領域ＤＤ−ＤＡ（図１０参照）に全体的に重畳し、第２非ベンディング領域ＮＢＡ２は表示領域ＤＤ−ＤＡ（図１０参照）に一部分重畳する。
【０１３２】
保護部材ＰＭｂは表示パネルＤＰｂの第１非ベンディング領域ＮＢＡ１上に配置された第１保護部材ＰＭｂ−１及び第２非ベンディング領域ＮＢＡ２上に配置された第２保護部材ＰＭｂ−２を含む。
【０１３３】
本発明の実施形態によれば、第１保護部材ＰＭｂ−１の終端ＰＭｂ−Ｅは補強部材ＭＴｂの終端ＭＴｂ−Ｅよりウィンドウ部材ＷＭの終端ＷＭ−Ｅにさらに隣接する。
【０１３４】
第１保護部材ＰＭｂ−１はメイン領域ＭＡ及びメイン領域ＭＡを囲むエッジ領域ＥＡを含む。第１保護部材ＰＭｂ−１のメイン領域ＭＡは補強部材ＭＴｂに全体的に重畳し、第１保護部材ＰＭｂ−１のエッジ領域ＥＡは補強部材ＭＴｂに一部分だけ重畳する。
【０１３５】
本発明に係る第１保護部材ＰＭｂ−１のエッジ領域ＥＡは第１保護部材ＰＭｂ−１の下面から第１保護部材ＰＭｂ−１の上面に向かって陥没された形状で設けられる。その結果、第１保護部材ＰＭｂ−１のエッジ領域ＥＡに開口部ＯＰが定義される。以下、第１保護部材ＰＭｂ−１のエッジ領域ＥＡは開口部ＯＰが含まれた領域として説明される。
【０１３６】
また、ウィンドウ部材ＷＭの厚さ方向である第３方向ＤＲ３において、第１保護部材ＰＭｂ−１のエッジ領域ＥＡの厚さは第１保護部材ＰＭｂ−１のメイン領域ＭＡの厚さより薄い。第２保護部材ＰＭｂ−２の厚さは第１保護部材ＰＭｂ−１のメイン領域ＭＡの厚さと同一である。
【０１３７】
一方、補強部材ＭＴｂを表示パネルＤＰｂの下部に接着する過程で図６Ｂに図示されたパッド部ＰＰによって補強部材ＭＴｂに圧力が伝達される。本発明の実施形態によれば、補強部材ＭＴｂの終端ＭＴｂ−Ｅは第１保護部材ＰＭｂ−１のエッジ領域ＥＡに重畳する。
【０１３８】
この場合、補強部材ＭＴｂの終端ＭＴｂ−Ｅから伝達された圧力が第１保護部材ＰＭｂ−１のエッジ領域ＥＡに伝達される。しかし、補強部材ＭＴｂの終端ＭＴｂ−Ｅから伝達された圧力は開口部ＯＰによって分散されて表示パネルＤＰｂに伝達されないことがあり得る。したがって、補強部材ＭＴｂを表示パネルＤＰｂの下部に接着する過程で発生される表示パネルＤＰｂの破損を防止することができる。
【０１３９】
図１２を参照すれば、第１保護部材ＰＭｂ−１のエッジ領域ＥＡは補強部材ＭＴｂに重畳しない。即ち、第１保護部材ＰＭｂ−１のメイン領域ＭＡが補強部材ＭＴｂに全体的に重畳する。補強部材ＭＴｂの終端ＭＴｂ−Ｅから伝達された圧力が第１保護部材ＰＭｂ−１のエッジ領域ＥＡの開口部ＯＰに一部分伝達されることによって、補強部材ＭＴｂの終端ＭＴｂ−Ｅから伝達された圧力を分散させることができる。
【０１４０】
以上、図面と明細書を用いて本発明の実施形態について説明した。ここで、使用された用語は、単に本発明を説明するために使用されたものであり、特定の意味に限定するためや特許請求の範囲に記載された本発明の範囲を制限するために使用されたものではない。したがって、本技術分野の通常の知識を有する者であれば、上述した各実施形態からの多様な変形、及び上述した各実施形態と均等な他の実施形態への適用が可能である点を理解できる。したがって、本発明の技術的な保護範囲は、添付された特許請求の範囲の技術的思想によって定められる。
【符号の説明】
【０１４１】
ＤＰ：表示パネル
ＩＳＵ：入力感知ユニット
ＡＭ：接着部材
ＰＭ：保護部材
ＭＴ：補強部材
ＷＭ：ウィンドウ部材
ＰＯＬ：偏光部材
【図１Ａ】
2019211759.tif 000003
【図１Ｂ】
2019211759.tif 000004
【図１Ｃ】
2019211759.tif 000005
【図１Ｄ】
2019211759.tif 000006
【図１Ｅ】
2019211759.tif 000007
【図２Ａ】
2019211759.tif 000008
【図２Ｂ】
2019211759.tif 000009
【図３】
2019211759.tif 000010
【図４Ａ】
2019211759.tif 000011
【図４Ｂ】
2019211759.tif 000012
【図４Ｃ】
2019211759.tif 000013
【図５Ａ】
2019211759.tif 000014
【図５Ｂ】
2019211759.tif 000015
【図６Ａ】
2019211759.tif 000016
【図６Ｂ】
2019211759.tif 000017
【図７】
2019211759.tif 000018
【図８】
2019211759.tif 000019
【図９Ａ】
2019211759.tif 000020
【図９Ｂ】
2019211759.tif 000021
【図１０】
2019211759.tif 000022
【図１１】
2019211759.tif 000023
【図１２】
2019211759.tif 000024